(57)【要約】【課題】衛生的な男性用排尿具を提供する。【解決手段】男性用排尿具１０は、利用者１の下半身の前側を覆い、衣服４の前側に取り付け可能であり、陰茎３を挿通する陰茎挿通穴２１を有する本体部２０と、本体部２０に設けられ、陰茎挿通穴２１が利用者１の陰茎３に対応する位置になるように本体部２０を利用者１に取り付ける取り付け紐３０と、を備える。【選択図】図１
2015175076.tif 000002
【特許請求の範囲】
【請求項１】
利用者の下半身の前側を覆い、衣服の前側に取り付け可能であり、陰茎を挿通する陰茎挿通穴を有する本体部と、
前記本体部に設けられ、前記陰茎挿通穴が利用者の陰茎に対応する位置になるように前記本体部を利用者に取り付ける取り付け部と、
を備える男性用排尿具。
【請求項２】
請求項１に記載の男性用排尿具において、
前記取り付け部は、前記本体部の上側に折り曲げ可能に設けられ、折り曲げた状態で前記衣服の内側に入れられることによって前記本体部を利用者に取り付ける折り曲げ部であること、
を特徴とする男性用排尿具。
【請求項３】
請求項１又は請求項２に記載の男性用排尿具において、
前記本体部は、前記陰茎挿通穴の左側及び右側の少なくとも一方に配置され、利用者が手を前記本体部の前側から後側を通して陰茎を前記陰茎挿通穴に導く手通し穴を備えること、
を特徴とする男性用排尿具。
【請求項４】
請求項３に記載の男性用排尿具において、
前記手通し穴は、上下方向に細長く、
前記本体部は、前記手通し穴の上下にそれぞれ連設され、前記手通し穴を前記上下方向に延長する穴延長予定線を有すること、
を特徴とする男性用排尿具。
【請求項５】
請求項１から請求項４のいずれか１項に記載の男性用排尿具において、
前記本体部及び前記取り付け部の材質は、水溶性又は水解紙であること、
を特徴とする男性用排尿具。
【発明の詳細な説明】
【技術分野】
【０００１】
本発明は、男性が排尿時に取り付ける男性用排尿具に関するものである。
【背景技術】
【０００２】
従来、男性が排尿時に使う排尿飛散防止具があった（例えば特許文献１）。
しかし、従来の排尿飛散防止具は、管に尿を通す構造であった。このため、従来の排尿飛散防止具は、大量の尿が管に付着し、使用後には、衛生上問題が生じる可能性があった。
【先行技術文献】
【特許文献】
【０００３】
【特許文献１】特開２０１２−２５５３２７号公報
【発明の概要】
【発明が解決しようとする課題】
【０００４】
本発明の課題は、衛生的な男性用排尿具を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、利用者の下半身の前側を覆い、衣服の前側に取り付け可能であり、陰茎を挿通する陰茎挿通穴（２１）を有する本体部（２０，２２０，４２０，５２０）と、前記本体部に設けられ、前記陰茎挿通穴が利用者の陰茎に対応する位置になるように前記本体部を利用者に取り付ける取り付け部（３０，３３０）と、を備える男性用排尿具である。
・第２の発明は、第１の発明の男性用排尿具において、前記取り付け部は、前記本体部（２０）の上側に折り曲げ可能に設けられ、折り曲げた状態で前記衣服の内側に入れられることによって前記本体部（２０）を利用者に取り付ける折り曲げ部（３３０）であること、を特徴とする男性用排尿具である。
・第３の発明は、第１又は第２の発明の男性用排尿具において、前記本体部（２０，２２０，４２０，５２０）は、前記陰茎挿通穴（２１）の左側及び右側の少なくとも一方に配置され、利用者が手を前記本体部の前側から後側を通して陰茎を前記陰茎挿通穴に導く手通し穴（２３）を備えること、を特徴とする男性用排尿具である。
・第４の発明は、第３の発明の男性用排尿具において、前記手通し穴（２３）は、上下方向に細長く、前記本体部（２０，２２０，４２０，５２０）は、前記手通し穴の上下にそれぞれ連設され、前記手通し穴を前記上下方向に延長する穴延長予定線（２２ａ，２２ｂ）を有すること、を特徴とする男性用排尿具である。
・第５の発明は、第１から第４のいずれかの発明の男性用排尿具において、前記本体部（２０，２２０，４２０，５２０）及び前記取り付け部（３０，３３０）の材質は、水溶性又は水解紙であること、を特徴とする男性用排尿具である。
【発明の効果】
【０００７】
本発明によれば、衛生的な男性用排尿具を提供できる。
【図面の簡単な説明】
【０００８】
【図１】第１実施形態の男性用排尿具１０を利用者１の前側Ｙ１から見た図である。
【図２】第１実施形態の男性用排尿具１０を利用者１に取り付けた状態を前側Ｙ１から見た斜視図である。
【図３】第１実施形態の男性用排尿具１０を利用者１が使用する状態を左右方向Ｘから見た図である。
【図４】第２実施形態の男性用排尿具２１０を利用者１が使用する状態を左右方向Ｘから見た図である。
【図５】第３実施形態の男性用排尿具３１０を利用者１が取り付ける状態を説明するための図である。
【図６】第４実施形態の男性用排尿具４１０を利用者１に取り付けた状態を前側Ｙ１から見た斜視図である。
【図７】第５実施形態の男性用排尿具５１０を利用者１の前側Ｙ１から見た斜視図である。
【図８】第５実施形態の男性用排尿具５１０を利用者１に取り付けた状態を前側Ｙ１から見た斜視図である。
【図９】第５実施形態の男性用排尿具５１０を利用者１に取り付けた状態を後側Ｙ２から見た図である。
【発明を実施するための形態】
【０００９】
以下、図面等を参照して、本発明の実施形態について説明する。
（第１実施形態）
図１は、第１実施形態の男性用排尿具１０を利用者１の前側Ｙ１から見た図である。
図２は、第１実施形態の男性用排尿具１０を利用者１に取り付けた状態を前側Ｙ１から見た斜視図である。図２の二点鎖線内は、穴延長予定線２２ａで切断することにより、陰茎挿通穴２１を上側Ｚ１に延長した図である。
実施形態及び図面では、理解を容易にするため、直交座標系を設けて説明する。この直交座標系は、図２に示す利用者１を基準として、上下方向Ｚ（上側Ｚ１、下側Ｚ２）、左右方向Ｘ（左側Ｘ１、右側Ｘ２）、前後方向Ｙ（前側Ｙ１、後側Ｙ２）を表す。
【００１０】
男性用排尿具１０は、男性の利用者１が排尿時に取り付けて、尿が衣服（ズボン）４や身体に付着しないようにするためのものである。
図１、２に示すように、男性用排尿具１０は、本体部２０と、取り付け紐３０（取り付け部）とを備える。
【００１１】
本体部２０は、利用者１の下半身の前側Ｙ１であって上側Ｚ１の部分を覆う部材である。本体部２０は、衣服４の前側Ｙ１に取り付け可能である。本体部２０は、例えば、上下３００〜５００ｍｍ、左右３００〜５００ｍｍの大きさである。本体部２０の材質は、水解紙である。水解紙は、水に触れると絡みあった繊維が速やかに分離し、水中に分散する性質を有する。本体部２０は、利用者１の体に倣って曲がる程度の柔軟性を有する。
【００１２】
本体部２０は、陰茎挿通穴２１と、穴延長予定線２２ａ，２２ｂと、手通し穴２３とを備える。
陰茎挿通穴２１は、左右方向Ｘにおいて、本体部２０の中央付近に位置し、陰茎３を挿通する穴である。
陰茎挿通穴２１は、上下方向Ｚにおいて、取り付け紐３０との距離が例えば、３０〜１００ｍｍである。
【００１３】
穴延長予定線２２ａ，２２ｂは、手通し穴２３の上下にそれぞれ連設されている。穴延長予定線２２ａ，２２ｂは、陰茎挿通穴２１を上下方向Ｚに延長するためのものである。穴延長予定線２２ａ，２２ｂは、例えば、ミシン目である。
手通し穴２３は、陰茎挿通穴２１の右側Ｘ２に配置されている。手通し穴２３は、上下方向Ｚに細長い。利用者１は、右手２を手通し穴２３に入れて、右手２を本体部２０の前側Ｙ１から後側Ｙ２に通す。
【００１４】
取り付け紐３０は、本体部２０を利用者１の衣服４の前側Ｙ１に取り付けるためのものである。取り付け紐３０は、本体部２０の上辺部の左右のコーナ部にそれぞれ設けられている。取り付け紐３０は、例えば紙テープのような紙紐である。取り付け紐３０の材質は、本体部２０と同様である。
なお、取り付け紐３０は、１本の構成にして、これに本体部２０を接着等してもよい。
【００１５】
図３は、第１実施形態の男性用排尿具１０を利用者１が使用する状態を左右方向Ｘから見た図である。
利用者１は、以下の手順に従って男性用排尿具１０を使用することができる。
ここでは、利用者１が衣服４として長ズボンを着て、便器５として壁掛型小便器で排尿する例を説明する。この壁掛型小便器の下端の高さと、利用者１の膝の高さとは、同じ程度である。
【００１６】
（１）取り付けの手順
図２に示すように、利用者１は、左右方向Ｘにおいて、本体部２０の中央と、自分の身体の中央とが一致するように、本体部２０を配置する。これにより、左右方向Ｘにおいて、本体部２０の中央に配置された陰茎挿通穴２１の位置と、陰茎３の位置とが一致する。
利用者１は、そのように配置した状態で、取り付け紐３０を身体の後側Ｙ２で結ぶ。取り付け紐３０は、利用者１のウェスト付近に配置された状態で結ばれる。上下方向Ｚにおいて、取り付け紐３０及び陰茎挿通穴２１の距離は、３０〜１００ｍｍである。このため、陰茎挿通穴２１は、ウェスト付近から下側Ｚ２に３０〜１００ｍｍに配置される。これにより、上下方向Ｚにおいて、陰茎挿通穴２１と、陰茎３の位置とが一致する。
【００１７】
以上により、利用者１が男性用排尿具１０を前述したような自然な態様で取り付ければ、陰茎挿通穴２１は、陰茎３に対応する位置に自然に配置される。
また、本体部２０は、利用者１の下半身の前側Ｙ１のうちウェストから膝付近までの領域を覆うように配置される。
【００１８】
（２）穴延長予定線２２ａ，２２ｂを切る手順
上記（１）に従って男性用排尿具１０を取り付けても、利用者１の体型によっては、上下方向Ｚにおいて、陰茎３と陰茎挿通穴２１の位置とが一致しない場合がある。
この場合には、利用者１は、穴延長予定線２２ａ，２２ｂを切断することにより、陰茎挿通穴２１を上下方向Ｚに延長すればよい。これにより、利用者１は、陰茎挿通穴２１の上下方向Ｚの長さを調整できる。
例えば、図２の二点鎖線内は、陰茎挿通穴２１の中心が陰茎３よりも下側Ｚ２に、大きくずれて配置された場合に、上側Ｚ１の穴延長予定線２２ａを切断することにより、陰茎挿通穴２１を上側Ｚ１に延長した例である。
図示は省略するが、陰茎挿通穴２１の中心が陰茎３よりも上側Ｚ１に、大きくずれて配置された場合には、下側Ｚ２の穴延長予定線２２ｂを切断することにより、陰茎挿通穴２１を下側Ｚ２に延長できる。
このように、各利用者１は、身体の大きさ、体型等に合わせて、陰茎挿通穴２１の上下方向Ｚの長さを調整できる。
【００１９】
（３）手通し穴２３に右手２を入れる手順
利用者１は、右手２を手通し穴２３に入れて、右手２を本体部２０の前側Ｙ１から後側Ｙ２に通す。これにより、利用者１の右手２が、衣服４と本体部２０との間に配置される。
（４）陰茎３を陰茎挿通穴２１に導く手順
利用者１は、本体部２０の後側Ｙ２に配置した右手２で、陰茎３を陰茎挿通穴２１に導く。その後、利用者１は、右手２で陰茎３を操作して、陰茎３を陰茎挿通穴２１から本体部２０の前側Ｙ１に通す。なお、この場合、利用者１は、衣服４と本体部２０との間に配置された右手２で、衣服４のファスナーを開いたりすることができる。
（５）排尿の手順
図３に示すように、利用者１は、陰茎挿通穴２１に陰茎３を通している状態で、排尿を行う。
【００２０】
（６）取り外しの手順
利用者１は、排尿を行った後、身体の後側Ｙ２で結んである取り付け紐３０をほどき、男性用排尿具１０を取り外す。
（７）廃棄の手順
利用者１は、男性用排尿具１０を廃棄する。
【００２１】
以上説明したように、本実施形態の男性用排尿具１０は、以下の効果を奏する。
（１）本体部２０は、下半身の前側Ｙ１を覆うので、排尿時において、尿道から直接飛散する尿、及び便器５にあたって飛散する尿を、利用者１の衣服４、身体に付着しないようにできる。
また、尿道から飛散する尿、及び便器５にあたって飛散する尿は、飛散量が少ないので、男性用排尿具１０は、使用後において衛生的である。すなわち、実施形態とは異なり管に尿を通す形態では、実施形態よりも大量の尿が管に付着するので、不衛生になってしまう。
【００２２】
（２）利用者１は、右手２を手通し穴２３から、本体部２０の前側Ｙ１から後側Ｙ２に通せるので、陰茎３を右手２に持ち、陰茎３を陰茎挿通穴２１に導くことができる。また、利用者１は、右手２を本体部２０の後側Ｙ２に配置できるので、手の甲、衣服４の袖先等に尿が付着しないようにすることができる。
（３）穴延長予定線２２ａ，２２ｂは、陰茎挿通穴２１の上下に連設されているので、利用者１の身体の体型等に合わせて、陰茎挿通穴２１の大きさを調整できる。
また、男性用排尿具１０は、このように各利用者１の体型等に合わせて、陰茎挿通穴２１の大きさを調整できるので、陰茎挿通穴２１からの身体の露出面積を小さくできる。このため、男性用排尿具１０は、陰茎挿通穴２１から身体等に付着する尿の量が少ない。
すなわち、実施形態とは異なり、より多くの利用者１の体型等に合わせて、予め、穴延長予定線２２ａ，２２ｂ及び陰茎挿通穴２１を含む大きな開口穴を設けた形態では、実施形態よりも露出面積が大きくなってしまう。この形態では、この開口穴から大量の尿が身体等に付着してしまう。
【００２３】
（４）本体部２０、取り付け紐３０の材質は、水解紙である。このため、男性用排尿具１０は、例えば、トイレットペーパと同様に便器等から下水等に流しても、水管に詰まらない。そのため、男性用排尿具１０は、利用後の廃棄が容易である。
【００２４】
（第２実施形態）
次に、本発明の第２実施形態について説明する。
なお、以下の説明及び図面において、前述した第１実施形態と同様の機能を果たす部分には、同一の符号又は末尾に同一の符号を適宜付して、重複する説明を適宜省略する。
図４は、第２実施形態の男性用排尿具２１０を利用者１が使用する状態を左右方向Ｘから見た図である。
本実施形態では、利用者１が長ズボン（衣服）４を着て、便器として腰掛式便器（以下「洋式便器２０５」という）で排尿する例を説明する。
【００２５】
本体部２２０は、上下方向Ｚの長さが、第１実施形態よりも長い。すなわち、図示は省略するが、左右方向Ｘ、及び本体部２２０の上辺部からの距離において、陰茎挿通穴２１、穴延長予定線２２ａ，２２ｂ、手通し穴２３の取り付け位置は、第１実施形態と同様である。
【００２６】
本体部２２０は、例えば、上下５００〜９００ｍｍ、左右３００〜５００ｍｍの大きさである。本体部２２０は、利用者１の足首よりも上側Ｚ１であって、下半身及び衣服４の前側略全面を覆う形態で、利用者１に取り付けできる。
便器から陰茎３までの高さは、洋式便器２０５の方が壁掛型小便器よりも高い。このため、洋式便器２０５は、尿の落差が大きい。また、洋式便器２０５は、上側Ｚ１に大きく開口している。このため、洋式便器２０５での排尿時の尿の飛散量は、壁掛型小便器と比較すると多い。また、洋式便器２０５での尿の飛散領域は、壁掛型小便器よりも広い。
【００２７】
前述したように、男性用排尿具２１０は、本体部２２０が上下方向Ｚに長い。このため、尿の飛散量が多く、かつ、飛散領域が広い洋式便器２０５であっても、尿道から飛散する尿、及び便器にあたって飛散する尿は、利用者１の衣服４、身体に付着しない。
【００２８】
以上説明したように、本実施形態の男性用排尿具２１０は、第１実施形態の男性用排尿具１０に加えて、上記効果を奏する。
【００２９】
（第３実施形態）
次に、本発明の第３実施形態について説明する。
図５は、第３実施形態の男性用排尿具３１０を示す図、男性用排尿具３１０を利用者１が取り付ける状態を示す図である。
図５（Ａ１）は、第３実施形態の男性用排尿具３１０を前側Ｙ１から見た図である。
図５（Ａ２）は、第３実施形態の男性用排尿具３１０を示す断面図である。
図５（Ｂ）は、利用者１が男性用排尿具３１０を取り付ける前の状態を示す断面図である。
図５（Ｃ）は、利用者１が男性用排尿具３１０を取り付けた後の状態を示す断面図である。
【００３０】
図５（Ａ１）、（Ａ２）に示すように、男性用排尿具３１０は、本体部２０と、折り曲げ部３３０と、ミシン目３３１とを備える。
本体部２０は、第１実施形態と同じである。
【００３１】
折り曲げ部３３０は、本体部２０の材料を上側Ｚ１に延長させることによって、本体部２０に連接されている。上下方向Ｚにおいて、折り曲げ部３３０の長さは、例えば１０ｍｍ〜５０ｍｍ程度である。
【００３２】
ミシン目３３１は、本体部２０と、折り曲げ部３３０との境界に設けられている。ミシン目３３１は、折り曲げ部３３０の折り曲げ線を、利用者１に示すためのものである。
なお、折り曲げ線は、ミシン目３３１の代わりに、直線を印刷等することによって示してもよい。
【００３３】
男性用排尿具３１０の使用方法について説明する。
男性用排尿具３１０の使用方法は、取り付けの手順が第１実施形態とは異なる。
利用者１は、以下の手順に従って男性用排尿具３１０を取り付けることができる。
（１）図５（Ｂ）に示すように、利用者１は、第１実施形態と同様に、男性用排尿具３１０を、自分の身体の中央とが一致するように、本体部２０を配置する。
（２）図５（Ｃ）に示すように、利用者１は、折り曲げ部３３０をミシン目３３１で、矢印方向Ａへ折り曲げる。利用者１は、折り曲げた折り曲げ部３３０を、衣服４及び身体の間に入れる。
以上の手順により、男性用排尿具３１０は、利用者に取り付けられる。
その後の手順は、第１実施形態と同様である。
【００３４】
以上説明したように、本実施形態の男性用排尿具３１０は、第１及び第２実施形態の男性用排尿具１０、２１０に加えて、以下の効果を奏する。
男性用排尿具３１０は、折り曲げ部３３０を折り曲げて、衣服４の後側Ｙ２（内側）に入れることにより、利用者１に簡単に取り付けることができる。
男性用排尿具３１０は、本体部２０を上側Ｚ１に延長することにより、折り曲げ部３３０を設けることができるので、構造が簡単であり、また、低コストである。
【００３５】
（第４実施形態）
次に、本発明の第４実施形態について説明する。
図６は、第４実施形態の男性用排尿具４１０を利用者１に取り付けた状態を前側Ｙ１から見た斜視図である。
【００３６】
男性用排尿具４１０は、本体部４２０と、取り付け紐３０とを備える。
本体部４２０は、陰茎挿通穴２１と、穴延長予定線２２ａ，２２ｂとを備える。
本体部４２０は、手通し穴２３を備えていない点で第１実施形態の本体部２０とは形状が異なる。本体部４２０の材質及び性質は、第１実施形態の本体部２０と同様である。
【００３７】
陰茎挿通穴２１、穴延長予定線２２ａ，２２ｂは、第１実施形態と同じである。
取り付け紐３０は、第１実施形態と同じである。
【００３８】
男性用排尿具４１０の使用方法について説明する。
男性用排尿具４１０の使用方法は、手通し穴２３に右手２を入れる手順がなく、以下の手順を有する点で第１実施形態とは異なる。
利用者１は、右手２を男性用排尿具４１０と衣服４の間に入れて、右手２を本体部４２０の前側Ｙ１から後側Ｙ２に通す。これにより、利用者１の右手２が、衣服４と本体部４２０との間に配置される。
なお、利用者１は、右手２を男性用排尿具４１０の前側から陰茎挿通穴２１を通して陰茎３を取り出すことも可能である。
【００３９】
以上説明したように、本実施形態の男性用排尿具４１０は、上述した相違点のみであり、第１実施形態の男性用排尿具１０と同様の効果を奏する。
【００４０】
（第５実施形態）
次に、本発明の第５実施形態について説明する。
図７は、第５実施形態の男性用排尿具５１０を利用者１の前側Ｙ１から見た斜視図である。
図８は、第５実施形態の男性用排尿具５１０を利用者１に取り付けた状態を前側Ｙ１から見た斜視図である。
図９は、第５実施形態の男性用排尿具５１０を利用者１に取り付けた状態を後側Ｙ２から見た図である。
【００４１】
図７、８、９に示すように、男性用排尿具５１０は、本体部５２０と、取り付け紐３０とを備える。
本体部５２０は、陰茎挿通穴２１と、穴延長予定線２２ａ，２２ｂと、手通し穴２３と、膨らみ部５２５とを備える。
【００４２】
本体部５２０は、第１実施形態の本体部２０より上下方向Ｚ、左右方向Ｘに長い。例えば、上下５００〜９００ｍｍ、左右５００〜７００ｍｍの大きさである。本体部５２０は、第１実施形態の本体部２０と大きさ、形状が異なるが、材質及び性質は同様である。
【００４３】
取り付け紐３０は、第１実施形態と同じである。
陰茎挿通穴２１、穴延長予定線２２ａ，２２ｂ、手通し穴２３は、第１実施形態と同じである。
【００４４】
図８に示すように、男性用排尿具５１０は、利用者１の前側Ｙ１から見た時、膨らみ部５２５を備えるため、利用者１が男性用排尿具５１０を取り付けた状態では、ズボンと見た目が類似している。
【００４５】
図９に示すように、男性用排尿具５１０は、前側略全面、後側半面を覆う形態である。
男性用排尿具５１０の使用方法については、第１実施形態と同様である。
【００４６】
以上説明したように、本実施形態の男性用排尿具５１０は、第１から第４実施形態の男性用排尿具１０、２１０、３１０、４１０に加え、以下の効果を奏する。
男性用排尿具５１０は、膨らみ部５２５を備えるので、利用者１の下半身にフィットする形状である。また、男性用排尿具５１０は、後側Ｙ２において、全面を覆うことなく隙間があり、歩きやすい。
【００４７】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４８】
（変形形態）
（１）実施形態では、男性用排尿具は、本体部が利用者の下半身を覆う前掛け（いわゆるエプロン）である例を示したが、これに限定されない。男性用排尿具は、例えば、利用者の下半身に加えて上半身も覆う前掛けでもよい。
全身タイプの前掛けの場合、飲食店での食事の合間に排尿をする場合であっても、取り付け取り外しの手間を省くことができる。ただし、この場合でも排尿終了後は、実施形態同様、廃棄することが衛生的である。
【００４９】
（２）実施形態では、男性用排尿具は、本体部が利用者の下半身の前側のみを覆う例を示したが、これに限定されない。男性用排尿具は、例えば、利用者の下半身の前側及び後側を全面的に覆うものであってよい。
【００５０】
（３）実施形態では、手通し穴は、陰茎挿通穴の右側に配置された例を示したが、これに限定されない。手通し穴は、例えば、陰茎挿通穴の左側、又は左右両方に配置されていてもよい。手通し穴を陰茎挿通穴の左右両方に配置した場合には、利用者は、両手を各手通し穴に入れて、両手で陰茎を操作できるので、操作性を向上できる。また、穴を左に配置した場合には、左手で操作する場合もある。
【００５１】
（４）実施形態では、男性用排尿具の材質は、水解紙である例を示したが、これに限定されない。男性用排尿具の材質は、例えば、水溶性であってもよい。この場合にも、男性用排尿具は、使用後に、下水等に流すことができる。
【００５２】
（５）実施形態では、男性用排尿具のデザインについて述べていないが、例えば、人の筋肉の絵や、著作者の許可を得てキャラクターの絵を付して使用することができる。
【符号の説明】
【００５３】
１：利用者
２：右手
３：陰茎
４：利用者
５：便器
１０，２１０，３１０,４１０,５１０：男性用排尿具
２０，２２０,４２０,５２０：本体部
２１：陰茎挿通穴
２２ａ，２２ｂ：穴延長予定線
２３：手通し穴
３０：取り付け紐
２０５：洋式便器
３３０：折り曲げ部
【図１】
2015175076.tif 000003
【図２】
2015175076.tif 000004
【図３】
2015175076.tif 000005
【図４】
2015175076.tif 000006
【図５】
2015175076.tif 000007
【図６】
2015175076.tif 000008
【図７】
2015175076.tif 000009
【図８】
2015175076.tif 000010
【図９】
2015175076.tif 000011